(57)【特許請求の範囲】
【請求項１】
コントロールパネルにより、撮像センサにより生成された患者データを受信するステップであって、前記患者データは、患者の身体の寸法に対応する、ステップと、
前記コントロールパネルにより、重量センサにより生成された、前記患者の重量データを受信するステップであって、前記重量データは、前記患者の重量を示す、ステップと、
前記コントロールパネルにより、パラメータライブラリを使用して、前記患者データ及び前記重量データに応じて、モデルデータを生成するステップであって、前記パラメータライブラリは、前記モデルデータを生成するために前記患者データ及び前記重量データが参照される元となるデータのテーブルであり、前記モデルデータは、前記患者の前記身体を表現する、ステップと、
前記コントロールパネルにより、前記モデルデータ上のターゲット位置を受信するステップであって、前記ターゲット位置は、前記患者の前記身体上の撮像スキャンを実行する所望の位置に対応する、ステップと、
前記コントロールパネルにより、前記ターゲット位置に応じて、前記撮像スキャンのためのアイソセンタを決定するステップと、
を含む方法であって、
前記コントロールパネルにより、前記モデルデータを生成するためにさらなる患者データが必要とされるかどうかを判定するステップと、
前記コントロールパネルにより、前記さらなる患者データをリクエストするステップと、
をさらに含む方法。
【請求項２】
前記患者データは、前記患者の少なくとも１つのキャプチャされた画像である、請求項１記載の方法。
【請求項３】
前記モデルデータは、前記患者の前記身体の３次元表現である、請求項１記載の方法。
【請求項４】
前記コントロールパネルのディスプレイデバイス上に前記モデルデータを表示するステップ
をさらに含む、請求項３記載の方法。
【請求項５】
前記モデルデータは、予め計算されたパラメータに応じて生成される、請求項１記載の方法。
【請求項６】
前記アイソセンタを決定する前に、前記コントロールパネルにより、患者台上における前記患者の位置データを受信するステップ
をさらに含む、請求項１記載の方法。
【請求項７】
前記コントロールパネルにより、前記撮像スキャンを実行する前に、オペレータがスキャン室内に在室しているかどうかを判定するステップ
をさらに含む、請求項１記載の方法。
【請求項８】
撮像センサにより生成された患者データを受信するよう構成されているプロセッサであって、前記患者データは、患者の身体の寸法に対応し、前記プロセッサは、重量センサにより生成された、前記患者の重量データを受信するよう構成されており、前記重量データは、前記患者の重量を示し、前記プロセッサは、パラメータライブラリを使用して、前記患者データ及び前記重量データに応じて、モデルデータを生成するよう構成されており、前記パラメータライブラリは、前記モデルデータを生成するために前記患者データ及び前記重量データが参照される元となるデータのテーブルであり、前記モデルデータは、前記患者の前記身体を表現する、プロセッサと、
前記患者データ、前記重量データ、及び前記モデルデータを記憶するよう構成されているメモリ構成と、
前記モデルデータ上のターゲット位置を受信するよう構成されている入力デバイスであって、前記ターゲット位置は、前記患者の前記身体上の撮像スキャンを実行する所望の位置に対応する、入力デバイスと、
を備え、
前記プロセッサは、前記ターゲット位置に応じて、前記撮像スキャンのためのアイソセンタを決定し、
前記プロセッサは、前記モデルデータを生成するためにさらなる患者データが必要とされるかどうかを判定し、前記さらなる患者データをリクエストするよう構成されている、
コントロールパネル。
【請求項９】
前記患者データは、前記患者の少なくとも１つのキャプチャされた画像である、請求項８記載のコントロールパネル。
【請求項１０】
前記モデルデータは、前記患者の前記身体の３次元表現である、請求項８記載のコントロールパネル。
【請求項１１】
前記モデルデータを表示するよう構成されているディスプレイデバイス
をさらに備える、請求項１０記載のコントロールパネル。
【請求項１２】
前記モデルデータは、予め計算されたパラメータに応じて生成される、請求項８記載のコントロールパネル。
【請求項１３】
前記アイソセンタを決定する前に、前記プロセッサは、患者台上における前記患者の位置データを受信する、請求項８記載のコントロールパネル。
【請求項１４】
患者の身体の寸法を示す患者データを生成するよう構成されている撮像センサと、
前記患者の重量を示す、前記患者の重量データを生成するよう構成されている重量センサと、
コントロールパネルであって、
前記患者データ及び前記重量データを受信するよう構成されているプロセッサであって、前記プロセッサは、パラメータライブラリを使用して、前記患者データ及び前記重量データに応じて、モデルデータを生成するよう構成されており、前記パラメータライブラリは、前記モデルデータを生成するために前記患者データ及び前記重量データが参照される元となるデータのテーブルであり、前記モデルデータは、前記患者の前記身体を表現する、プロセッサと、
前記患者データ、前記重量データ、及び前記モデルデータを記憶するよう構成されているメモリ構成と、
前記モデルデータ上のターゲット位置を受信するよう構成されている入力デバイスであって、前記ターゲット位置は、前記患者の前記身体上の撮像スキャンを実行する所望の位置に対応する、入力デバイスと、
を含むコントロールパネルと、
前記撮像スキャンを実行するよう構成されているスキャンデバイスと、
を備え、
前記プロセッサは、前記ターゲット位置に応じて、前記撮像スキャンのためのアイソセンタを決定し、
前記プロセッサは、前記モデルデータを生成するためにさらなる患者データが必要とされるかどうかを判定し、前記さらなる患者データをリクエストするよう構成されている、
システム。
【発明の詳細な説明】
【背景技術】
【０００１】
磁気共鳴撮像（ＭＲＩ）デバイスは、一般に、身体の内部構造を可視化するために使用される。詳細には、ＭＲＩは、核磁気共鳴（ＮＭＲ）の特性を利用して、身体内の原子の原子核を画像化する。従来のＭＲＩデバイスは、典型的に、患者が横たわる格納式患者台を含む。大型で強力な磁石が、身体内の少なくともいくつかの原子核の磁化を整列させるために使用される磁場を発生させ、この磁化の整列を体系的に変更するために無線周波数磁場が印加されるように、患者がＭＲＩデバイス内で移動される。これは、原子核に、スキャナにより検出可能な回転磁場を発生させる。この情報が、身体のスキャンされた領域の画像を構成するために、記録される。
【０００２】
従来のＭＲＩデバイスは、患者が患者台に横たわっているときにオペレータが患者台を移動させることを可能にするコントロールボタンを含む従来のコントロールパネルを有する。最初に、患者が患者台に横たわった後、オペレータは、ベッドをアイソセンタ（例えば、放射線の中心ビームが通過することになるスペース内のポイント）に移動させる前に、患者／レーザクロスヘアマーカ（patient/laser  cross-hair  marker）との手動整列を行う。これは、オペレータが手動で視覚的に識別することにより行われる。患者が、ＭＲＩデバイスにおいて指定されたアイソセンタに移動されると、オペレータは、ＭＲＩデバイスを遠隔制御することができるオペレータ室に移動する。オペレータは、放射線アイソセンタを見つけるために、さらに追加で移動することがある。オペレータは、さらに、寸法（dimension）又は患者に関連する他のデータを手動で提供することに加えて、アイソセンタを手動で決定することを要求されることがある。これらのステップは、プロセス全体の準備と考えられ、且つ／あるいは、プロセス全体にとってささいなものと考えられるが、これらのステップは、手順に要する全体時間を著しく増加させる。
【発明の概要】
【発明が解決しようとする課題】
【０００３】
したがって、ＭＲＩデバイスにより実行されるスキャンのために患者を準備するのに必要な時間を削減することが望ましいであろう。したがって、スキャンを実行するためにＭＲＩデバイスを準備するより効率的な方法を提供するシステムが必要とされる。
【課題を解決するための手段】
【０００４】
例示的な実施形態は、撮像スキャンのためのアイソセンタを決定するシステム及び方法に関する。例えば、例示的な方法は、コントロールパネルにより、少なくとも１つのセンサにより生成された患者データを受信するステップであって、前記患者データは、患者の身体の寸法を示す、ステップと、前記コントロールパネルにより、前記患者データに応じて、モデルデータを生成するステップであって、前記モデルデータは、前記患者の前記身体を表現する、ステップと、前記コントロールパネルにより、前記モデルデータ上のターゲット位置を受信するステップであって、前記ターゲット位置は、前記患者の前記身体上の撮像スキャンを実行する所望の位置を示す、ステップと、前記コントロールパネルにより、前記ターゲット位置に応じて、前記撮像スキャンのためのアイソセンタを決定するステップと、を含むことができる。
【図面の簡単な説明】
【０００５】
【図１】例示的な実施形態に従った、スキャン室用のシステムを示す図。
【図２】例示的な実施形態に従った、ＭＲＩデバイスのためのコントロールパネルを示す図。
【図３】例示的な実施形態に従った、スキャン室内で患者を準備する方法を示す図。
【発明を実施するための形態】
【０００６】
例示的な実施形態は、例示的な実施形態及び関連する添付図面の以下の説明を参照することにより、さらに理解することができる。例示的な実施形態及び関連する添付図面の以下の説明において、同様の要素には、同じ参照符号が付されている。例示的な実施形態は、一般に、患者の視覚的プレスキャン（visual  pre-scan）から患者データを提供するシステム及び方法に関する。詳細には、患者データが、スキャンを実行する前に患者データをキャプチャするよう構成されている少なくとも１つのセンサを介して、磁気共鳴撮像（ＭＲＩ）手順のために決定され得る。患者データ、プレスキャン、ＭＲＩ手順、センサ、及び関連方法について、以下でさらに詳細に説明する。
【０００７】
図１は、例示的な実施形態に従った、スキャン室１００用の例示的なシステムを示している。スキャン室１００は、撮像される患者のために使用される。例えば、患者は、身体部分に対してＭＲＩが実行されることを必要とする場合がある。スキャン室１００は、従来のスキャン室と実質的に同様のコンポーネントを含む。例えば、スキャン室１００は、アクセスドア１０５、ＭＲＩデバイス１１０、患者台１１５、オペレータ室１２５、オペレータ室１２５へのアクセスドア１３０、及び撮像デバイス１３５を含む。例示的な実施形態に従うと、スキャン室１００は、ＭＲＩデバイス１１０上のコントロールパネル１２０、撮像センサ１４０、及び重量センサ１４５をさらに含む。
【０００８】
例示的な実施形態に従うと、撮像センサ１４０は、患者の視覚的プレスキャンのためのデータを提供する。すなわち、プレスキャンは、患者に対して実行される撮像スキャンの前に実行されるオペレーションに関連する。当業者であれば、撮像スキャンを実行するために、患者がＭＲＩデバイス１１０のコンポーネントに対して適切に整列される必要があることを理解するであろう。したがって、撮像センサ１４０は、特に患者をアイソセンタに配置させるために、ＭＲＩデバイス１１０のコンポーネントの整列に関連する視覚的プレスキャンのためのデータを提供する。
【０００９】
撮像センサ１４０は、スキャン室１００に入室しているときの患者の画像をキャプチャするよう構成される。詳細には、患者がアクセスドア１０５を通って入室したときに、撮像センサ１４０は、画像をキャプチャすることを開始する。撮像センサ１４０は、画像を自動的にキャプチャするよう構成されてもよいし、画像をキャプチャするために手動で駆動されるよう構成されてもよい。例えば、撮像センサ１４０は、患者がアクセスドア１０５を通ってスキャン室１００にいつ入室したかを検出するよう構成することができる。したがって、撮像センサ１４０は、スキャン室１００が連続的にモニタリングされる低電力消費モードで動作することができる。したがって、患者がスキャン室１００に入室したときに、撮像センサ１４０は、患者がスキャン室１００に実際に入室したことを判別し、画像をキャプチャすることを開始することができる。別の例において、オペレータは、患者がアクセスドア１０５を通ってスキャン室１００に入室したときに、撮像センサ１４０を駆動してもよい。オペレータと患者とを区別するために、撮像センサ１４０は、さらに、オペレータの寸法データを有するよう構成される。例えば、患者がスキャン室１００に入室する前に、オペレータがすでに在室していることがある。患者データが撮像センサ１４０により最終的にキャプチャされたときに、患者データを分離して識別することができるように、撮像センサ１４０は、オペレータの画像をキャプチャしてもよいし、オペレータデータを判別してもよい。特定の例示的な実施形態において、撮像センサ１４０は、オペレータ及び患者の両方が存在する画像がキャプチャされたときに、この両者の間でオペレータを判別でき、患者データを分離できるように、オペレータ関連データを記憶することができる。
【００１０】
撮像センサ１４０は、患者のモデルを生成するために、患者の画像をキャプチャする。詳細には、患者の画像は、患者のモデルを生成するために、患者の寸法及び相対的サイズに関連する患者データを提供する。撮像センサ１４０は、任意のタイプのものであってよい。第１の例において、撮像センサ１４０は、カメラ等の従来の撮像デバイスとすることができる。カメラは、患者のモデルをレンダリングできるように、複数の角度で患者の画像をキャプチャする。したがって、カメラは、２次元画像をキャプチャする２次元撮像デバイスとすることができる。（第３の次元を提供するために）様々な角度で複数の画像をキャプチャすることにより、患者の３次元モデルを生成することができる。別の例において、撮像センサ１４０は、３次元撮像デバイスとすることができる。すなわち、３次元撮像デバイスは、奥行き成分を有する画像をキャプチャすることができる。したがって、３次元撮像デバイスは、３次元モデルを生成するための少なくとも１つの３次元画像を提供する。
【００１１】
画像をキャプチャする撮像センサ１４０は例示に過ぎないことに留意すべきである。撮像センサ１４０はまた、患者のモデルを生成できるようにデータをキャプチャすることができる任意のタイプのセンサを表してもよい。例えば、センサは、熱センサであってもよい。当業者であれば、人間の周縁部分（periphery）は、人間の中心部分（core）よりも低い温度を有し得ることを理解するであろう。したがって、発熱データを用いて、患者のモデルが生成されてもよい。別の例において、センサは、光センサであってもよい。患者がスキャン室１００に入室したときに、光センサは、スキャン室１００の周囲領域に対する照明状態の変化（例えば、暗部）を判別することができる。患者及び光センサの既知位置により、光センサデータから患者データを決定することができる。さらに別の例において、センサは、奥行きセンサであってもよい。奥行きセンサは、撮像センサ１４０の２次元のキャプチャされた画像に、さらなる次元の解析を提供することができる。したがって、スキャン室１００は、上述したタイプのセンサのうちの任意のものを任意の組合せで含んでもよい。すなわち、スキャン室１００は、少なくとも１つの撮像センサ１４０（上述した様々なタイプを含む）、少なくとも１つの熱センサ、少なくとも１つの光センサ、少なくとも１つの奥行きセンサ等を含んでもよい。当業者であれば、様々なタイプのセンサが、患者のモデルをより正確に生成するために使用されるさらなるデータを提供することを理解するであろう。
【００１２】
図１に示されるように、複数の撮像センサ１４０が存在し得る。例えば、図１には、４つの撮像センサ１４０が示されている。撮像センサ１４０は、スキャン室１００に入室しているときの患者の十分な画像がキャプチャされるように、スキャン室１００の至る所の予め定められた位置に配置される。例えば、撮像センサ１４０は、スキャン室１００の壁に沿った様々な高さに配置することができる。しかしながら、４つの撮像センサ１４０の使用は例示に過ぎないことに留意すべきである。別の例示的な実施形態に従うと、スキャン室１００は、少なくとも１つの撮像センサ１４０を含んでもよい。例えば、上述したように、撮像センサが３次元撮像デバイスである場合、１つの撮像センサ１４０だけが必要とされ得る。しかしながら、患者のモデルを生成するために十分な画像がキャプチャされる可能性を増大させるために、増加した数の撮像センサ１４０が使用されてもよい。
【００１３】
スキャン室１００は、重量センサ１４５をさらに含んでよい。図１に示されるように、重量センサ１４５は、アクセスドア１０５に隣接して配置することができる。詳細には、重量センサ１４５は、スキャン室１００のアクセスドア１０５近くの床の一部に広がっている。したがって、患者がスキャン室１００に入室したときに、重量センサ１４５は、患者の重量を決定する。患者の重量は、特に撮像センサ１４０によりキャプチャされた画像と組み合されたときに、より正確な患者のモデルを可能にする。オペレータも重量センサ１４５上に立っている場合には、重量センサ１４５は、患者の重量を決定するために、オペレータの既知重量を減算するよう構成することができる。重量センサ１４５は、スキャン室１００の床全体にわたって配置されてもよいことに留意すべきである。したがって、患者の重量が決定されるように、ＭＲＩデバイス１１０等の様々なコンポーネントの重量が、除去され得る（例えば、差し引かれ得る）。再度、この例示的な実施形態において、オペレータの重量が、既知であり、減算されてもよい。
【００１４】
このようなデータ（例えば、キャプチャされた画像、決定された重量等）が、コントロールパネル１２０等の処理ユニットに提供される。撮像センサ１４０及び重量センサ１４５は、ネットワーク（例えば、ローカルエリアネットワーク、プライベートエリアネットワーク等）のコンポーネントであり、これらのコンポーネントは、他のコンポーネント、特にコントロールパネル１２０に有線接続又は無線接続される。コントロールパネル１２０は、このようなデータを受信して、患者のモデルを生成する。
【００１５】
図２は、例示的な実施形態に従った、ＭＲＩデバイス１１０のための例示的なコントロールパネル１２０を示している。上述したように、スキャン室１００のコンポーネントは、ネットワークに関連付けることができる。したがって、コントロールパネル１２０は、受信機２３０及び送信機２３５を含む。しかしながら、コントロールパネル１２０は、受信機２３０及び送信機２３５の機能を提供する統合トランシーバを含んでもよいことに留意すべきである。受信機２３０及び送信機２３５は、無線接続用とすることができる。しかしながら、コントロールパネル１２０はまた、有線接続を受け入れるポートに受信機２３０及び送信機２３５を接続することができる有線接続のために構成されてもよい。
【００１６】
また、上述したように、コントロールパネル１２０は、撮像センサ１４０及び重量センサ１４５から受信したデータから、患者のモデルを生成するよう構成される。このモデル生成は、画像データ及び重量データを使用することに限定されるものではないことに留意されたい。患者モデルを生成するために、患者から決定することができる他のデータ又は患者のために以前に記憶された他のデータが使用されてもよい。コントロールパネル１２０は、プロセッサ２０５及びメモリ構成２１０を含む。受信機２３０は、撮像センサ１４０及び重量センサ１４５からデータを受信して、このデータをプロセッサ２０５に転送し、このデータは、メモリ構成２１０に記憶される。メモリ構成２１０は、パラメータライブラリ２１５を含む。パラメータライブラリ２１５は、予め計算された実用にかなうデフォルトパラメータを含む。すなわち、パラメータライブラリ２１５は、患者のモデルを生成するために患者のキャプチャされた画像及び重量データがプロセッサ２０５に参照される元となるデータのテーブルである。例えば、腕の寸法が、キャプチャされた画像から決定され得る。パラメータライブラリ２１５は、腕の寸法の所与のセットが、モデル上の腕の予め計算されたレンダリングをもたらすことを示す。パラメータライブラリ２１５は、コントロールパネル１２０に予めプログラムされてもよい。パラメータライブラリ２１５はまた、制御された形で（例えば、手動で）更新されてもよいし、患者のモデルの後続の生成のために予め計算されたパラメータをより正確に決定するために、動的に（例えば、モデルの各生成の後に）更新されてもよい。
【００１７】
患者のモデルをレンダリングすると、コントロールパネル１２０は、ディスプレイデバイス２２０上にこのモデルを表示する。ディスプレイデバイス２２０は、ユーザが、患者の身体の撮像スキャンが実行される部分に対応する、このモデルの予め定められた領域を選択することを可能にするタッチスクリーンとすることができる。コントロールパネル１２０は、入力デバイス２２５を含んでもよく、入力デバイス２２５も、予め定められた領域の選択を可能にする。ディスプレイデバイス２２０がタッチスクリーンである場合、ディスプレイデバイス２２０は、入力デバイス２２５を組み込むことができる。入力デバイス２２５はまた、従来の入力キー（例えば、患者台１１５移動キー）を含んでもよい。予め定められた領域を選択すると、その領域のアイソセンタが、撮像スキャンのために決定される。その後、患者が、患者台１１５に横たわったとき／患者台１１５に横たわっているときに、アイソセンタに達するまで、患者台１１５が、ＭＲＩデバイス１１０内で移動される。
【００１８】
例示的な実施形態に従うと、コントロールパネル１２０は、プロセッサ２０５による前処理のために、患者データ（例えば、キャプチャされた画像、重量測定値等）を受信する。例えば、前処理は、サイズを検出すること、性別を検出すること、重量を決定すること、患者を識別すること、検査を準備すること、自動画像保存通信システム（ＰＡＣＳ：picture  archiving  and  communication  system）データをリクエストすること、カメラデータに基づいてデータの粗レジストレーションを実行すること等に関する。プロセッサ２０５は、その後、パラメータライブラリ２１５に記憶されているデータに応じて、患者のモデルを生成する。患者のモデルが、ディスプレイデバイス２２０上に表示されると、オペレータは、スキャン領域を選択し（例えば、ディスプレイデバイスがタッチスクリーンである場合、ポイント、ドラッグ、ピンチツーズーム機能により）、他のプロトコルパラメータ（例えば、実行される撮像スキャンのタイプ）を提供する。このプロセスの間、患者は、患者台１１５に横たわっている。撮像センサ１４０は、さらに、患者がアイソセンタに自動的に移動されるように、横たわった後の患者位置データを記録するよう構成される。患者が患者台１１５上で移動されている間、オペレータは、部屋を離れ、アクセスドア１３０を通ってオペレータ室１２５に入室することが可能になる。オペレータは、撮像デバイス１３５を利用して、アイソセンタにおいて患者の撮像スキャンを実行することができる。
【００１９】
コントロールパネル１２０は、さらに、さらなるデータをリクエストする、あるいは、フィードバックをオペレータに提供するよう構成される。例えば、上述したように、コントロールパネル１２０は、ＰＡＣＳデータをリクエストすることができる。コントロールパネル１２０はまた、さらなるデータが、モデルのレンダリングに必要とされるかどうかを判定することができる。例えば、プロセッサ２０５は、モデルを生成するために、十分な量のデータが撮像センサ１４０／重量センサ１４５から受信されたかどうかを判定するよう構成される。少なくとも１つのさらなるデータが必要とされる場合、コントロールパネル１２０は、オペレータに、欠落しているデータを提供するように促す。コントロールパネル１２０はまた、フィードバックをオペレータに提供する。例えば、キャプチャされた画像がモデルを生成するための十分なデータを提供していないとコントロールパネル１２０が判定した場合、コントロールパネル１２０は、オペレータに、撮像センサ１４０がモデルを生成するのに必要なデータをキャプチャするために患者に特定の姿勢で立たせることを要求するように促す。別の例において、コントロールパネル１２０は、安全性の問題を検出するよう構成される。特定のシナリオにおいて、患者は、四肢がループを形成するように配置されることがある。例えば、患者が横たわっており、患者の手が患者の大腿部に接触して、ループを形成することがある。そのようなループは、電流を生じさせることがあり、さらには、やけどを生じさせることがある。したがって、コントロールパネル１２０は、それに応じて警告を提供する。コントロールパネル１２０は、さらに、撮像スキャンの実行が可能であるかどうかを判定するよう構成される。例えば、撮像センサ１４０は、スキャンの開始前に、オペレータ又は任意の他の人員が、（例えば、オペレータ室１２５に入室することにより）スキャン室１００を離れたかどうかを判定する。
【００２０】
上記説明に鑑みると、撮像スキャンのために患者を準備するのに必要とされる時間が削減される。詳細には、ＭＲＩデバイス１１０を手動で準備するためにオペレータにより費やされるであろう時間が、実質的に取り除かれる。カメラ画像情報に基づく実用にかなうデフォルトパラメータを示すことにより、いくつかの必要なステップが並列化されるので、ＭＲＩデバイス１１０を準備するワークフローもまた、より効率的である。
【００２１】
図３は、例示的な実施形態に従った、スキャン室１００内で患者を準備する例示的な方法３００を示している。詳細には、方法３００は、撮像スキャンのために患者を準備するために、前処理に使用される患者データを生成するための患者のプレスキャンに関連する。図１のスキャン室１００及び図２のコントロールパネル１２０を参照しながら、方法３００について説明する。
【００２２】
ステップ３０５において、撮像センサ１４０は、患者がスキャン室１００にいつ入室したかを判定する。上述したように、撮像センサ１４０は、患者がいつ入室したかを自動的に判定してもよいし、オペレータが、撮像センサ１４０を駆動して、患者がいつ入室したかを判定してもよい。ステップ３１０において、撮像センサ１４０及び重量センサ１４５は、患者データを生成する。詳細には、撮像センサ１４０は、患者の画像をキャプチャするのに対し、重量センサ１４５は、患者の重量を決定する。上述したように、熱センサ、光センサ、奥行きセンサ等といったさらなるセンサが、患者データを生成してもよい。ステップ３１５において、コントロールパネル１２０は、受信機２３０を介して、患者データを受信する。
【００２３】
ステップ３２０において、さらならデータが必要とされるかどうかについての判定がなされる。さらなるデータが必要とされる場合、方法３００はステップ３１０に戻り、さらなる患者データが生成される。方法３００は、コントロールパネルが、オペレータに、さらなる患者データを入力するように促すオプションのステップを含んでもよい。全ての必要な患者データが、コントロールパネル１２０により受信されると、方法３００はステップ３２５に進む。ステップ３２５において、患者のモデルが、コントロールパネル１２０により生成される。詳細には、モデルの形態の患者画像データが、コントロールパネル１２０のディスプレイデバイス２２０上に表示される。
【００２４】
ステップ３３０において、コントロールパネル１２０は、ディスプレイデバイス２２０上に表示されているモデル上のスキャン領域を受信する。上述したように、コントロールパネル１２０は、タッチスクリーンとすることができ、タッチスクリーンにおいて、オペレータは、スキャン領域を所望の位置にポイントアンドドラッグすることができる。オペレータはまた、入力デバイス２２５を利用して、所望の位置を入力することもできる。ステップ３３５において、撮像センサ１４０は、患者位置データを決定する。詳細には、撮像センサ１４０は、患者台１１５に横たわっているときの患者の位置を決定する。ステップ３４０において、患者が、選択されたスキャン領域に応じて、アイソセンタに配置される。すなわち、アイソセンタに達するように、患者台１１５が、ＭＲＩデバイス１１０に格納される。
【００２５】
ステップ３４５において、安全性の問題が存在するかどうかについての判定がなされる。例えば、撮像センサ１４０は、患者が患者台１１５上で正しく横たわっていないと判定することができる。安全性の問題が存在する場合、方法３００はステップ３５０に進み、それぞれの安全性の問題に関して、警告が生成される。方法３００はステップ３３５に戻り、ステップ３４５においてさらなる安全性の問題が存在しないと判定されるまで、患者位置データを決定する。ステップ３５５において、オペレータがスキャン室１００内にまだ在室しているかどうかについての判定がなされる。すなわち、この判定は、オペレータがオペレータ室１２５に移動したかどうかに関する。オペレータがまだ在室している場合、方法３００はステップ３６０に進む。ステップ３６０において、コントロールパネル１２０は、予め定められた時間期間待機する。方法３００はステップ３５５に戻り、オペレータがスキャン室１００内にまだ在室しているかどうかについての別の判定がなされる。オペレータがスキャン室を離れると、方法３００はステップ３６５に進む。ステップ３６５において、撮像スキャンが実行される。
【００２６】
例示的な実施形態に従うと、本システム及び本方法は、前処理に使用される患者データを生成するための患者のプレスキャンを提供する。詳細には、この前処理は、撮像スキャンを実行するために、患者の準備を提供する。プレスキャンは、撮像センサ、重量センサ、熱センサ、光センサ、奥行きセンサ等といった複数のセンサを用いて実行される。患者データは、コントロールパネル上に表示される患者のモデルを生成するために使用される。オペレータは、表示されているモデルからスキャン領域を選択することができる。スキャン領域は、患者がＭＲＩデバイス１１０において患者台１１５を介してアイソセンタに移動されるように、撮像スキャンのためのアイソセンタを決定する。例示的な実施形態は、特に患者の準備に必要な全体時間を削減することにより、撮像スキャンのために患者を準備するより効率的な方法を可能にする。
【００２７】
当業者であれば、上述した例示的な実施形態は、例えば、別々のソフトウェアモジュールとして、ハードウェアとソフトウェアとの組合せとして、等、任意の数の方法により実装することができることを理解するであろう。例えば、患者のモデルの生成は、コンパイルされるとプロセッサ上で実行することができるコード行を含むプログラムとすることができる。
【００２８】
本発明の主旨又は範囲から逸脱することなく、本発明において様々な変更を加えることができることが当業者には明らかであろう。したがって、本発明は、本発明の変更形態及び変形形態が特許請求の範囲及びその均等の範囲に属するならば、そのような変更形態及び変形形態を網羅することが意図される。
【図１】
0006397904.tif 000002
【図２】
0006397904.tif 000003
【図３】
0006397904.tif 000004